(57)【要約】本開示の側面は、液体容器および液体容器蓋ならびに／あるいはフィルタを対象とする。本開示のいくつかの実施形態は、充填開口および／または飲用開口を有する液体容器蓋に関する。キャップは、充填開口に除去可能に密閉状態で係合するように構成されることができる。液体容器蓋は、キャップとヒンジ式に係合されるマウスピースをさらに含み、マウスピースは、飲用開口と選択的に流体連通する先端を有する。マウスピースは、キャップに対して閉鎖位置から開放位置まで移動可能である。
2021512024.tif 000002
【特許請求の範囲】
【請求項１】
液体容器蓋であって、
液体がそれを通して進入することを可能にするように構成される充填開口と、
液体がそれを通して退出することを可能にするように構成される飲用開口と、
前記充填開口に除去可能に密閉状態で係合するように構成されるキャップと、
前記キャップとヒンジ式に係合されるマウスピースであって、前記マウスピースは、前記飲用開口と選択的に流体連通する先端を有し、前記マウスピースは、前記キャップに対して閉鎖位置から開放位置まで移動可能である、マウスピースと
を備える、液体容器蓋。
【請求項２】
前記キャップは、前記蓋とヒンジ式に係合される、請求項１に記載の液体容器。
【請求項３】
前記キャップを開放することは、前記マウスピースを相応に移動させる、請求項１または２に記載の液体容器。
【請求項４】
開口部を有する容器をさらに備え、前記蓋および前記容器は、ねじ嵌合、スナップ嵌合、摩擦嵌合、または機械的相互係止を介して除去可能に取り付けられ、前記容器は、前記容器から前記容器蓋を除去することなく、前記充填開口を通して補充されることができる、請求項１〜３のいずれか１項に記載の液体容器蓋。
【請求項５】
前記マウスピースは、前記先端と流体連通する底部開口部をさらに備える、請求項１〜４のいずれか１項に記載の液体容器蓋。
【請求項６】
前記飲用開口は、送達導管と流体連通する、請求項１〜５のいずれか１項に記載の液体容器蓋。
【請求項７】
前記マウスピースを通した飲用を促進するために、前記キャップ内に少なくとも１つの通気オリフィスをさらに備える、請求項１〜６のいずれか１項に記載の液体容器蓋。
【請求項８】
フィルタアセンブリをさらに備え、前記フィルタアセンブリは、前記飲用開口に除去可能に接続され、前記飲用開口と流体連通する、請求項１〜７のいずれか１項に記載の液体容器蓋。
【請求項９】
前記フィルタアセンブリは、入口と出口とを有する筐体を備え、前記筐体は、筐体基部と、少なくとも１つのフィルタ壁とを含み、少なくとも１つのフィルタコンパートメントが、前記筐体内に画定される、請求項８に記載の液体容器蓋。
【請求項１０】
前記筐体基部は、ユーザによって生成された吸引下で液体が前記フィルタアセンブリに進入することを可能にするように構成される逆止弁を含む、請求項９に記載の液体容器蓋。
【請求項１１】
前記フィルタコンパートメントは、少なくとも１つのフィルタ媒体を収容するように構成される、請求項１０に記載の液体容器蓋。
【請求項１２】
前記先端へのユーザによって生成された吸引の印加が、前記弁を持ち上げさせ、前記筐体の入口を通して、前記少なくとも１つのフィルタコンパートメント内の前記少なくとも１つのフィルタ媒体を通して、前記飲用開口を通して、その後、前記マウスピースを通して前記ユーザまで液体を引き込ませる、請求項１１に記載の液体容器蓋。
【請求項１３】
前記キャップの底面から突出し、前記キャップを前記飲料容器蓋に固着させるために前記充填開口に除去可能に係合するように構成される縁をさらに備える、請求項１〜１２のいずれか１項に記載の液体容器蓋。
【請求項１４】
前記液体容器蓋の外周部に回転可能に接続されるユーティリティリングをさらに備え、前記ユーティリティリングは、前記キャップに当接し、それによって、前記キャップを前記液体容器蓋に固着させることに役立つまで回転するように構成される、請求項１〜１３のいずれか１項に記載の液体容器蓋。
【請求項１５】
ユーティリティリングをさらに備え、前記ユーティリティリングは、前記ユーティリティリングが、係止解除位置から、前記キャップが開放することを防止するように前記ユーティリティリングが前記キャップを覆う係止位置まで枢動することができるように、液体容器の外周部に枢動可能に接続されている、請求項１〜１４のいずれか１項に記載の液体容器蓋。
【請求項１６】
前記マウスピースの先端は、前記マウスピースが前記閉鎖位置にあるとき、前記キャップ内の保護陥凹部によって係合される、請求項１〜１５のいずれか１項に記載の液体容器蓋。
【請求項１７】
前記マウスピースは、前記マウスピースが前記閉鎖位置にあるときに前記マウスピースの底部開口部を被覆するように構成される保護フラップをさらに備える、請求項１〜１６のいずれか１項に記載の液体容器蓋。
【請求項１８】
前記液体容器蓋は、前記マウスピースの上面上に突出部をさらに備え、前記突出部は、ユーザが前記閉鎖位置と前記開放位置との間で前記マウスピースを移動させることを補助するように構成される、請求項１〜１７のいずれか１項に記載の液体容器蓋。
【請求項１９】
前記突出部は、前記マウスピースが前記閉鎖位置にあるときに前記マウスピースの底部開口部を被覆するように構成される保護フラップをさらに備える、請求項１〜１８のいずれか１項に記載の液体容器蓋。
【請求項２０】
前記液体容器蓋は、前記マウスピースが前記閉鎖位置にあるときに前記マウスピースの底部開口部を被覆するように構成される保護フラップをさらに備える、請求項１〜１９のいずれか１項に記載の液体容器蓋。
【請求項２１】
前記液体は、水である、請求項１〜２０のいずれか１項に記載の液体容器蓋。
【請求項２２】
前記マウスピースの先端における０．５ｐｓｉ〜３ｐｓｉの引込力が、前記フィルタアセンブリを通して前記ユーザまで液体を引き込むために十分である、請求項８に記載の液体容器蓋。
【請求項２３】
液体容器との併用のためのフィルタアセンブリであって、前記フィルタアセンブリは、
入口と出口とを有する筐体であって、前記筐体は、筐体基部と、少なくとも１つのフィルタ壁とを含み、少なくとも１つのフィルタコンパートメントが、前記筐体内に画定される、筐体
を備え、
前記入口および出口のうちの１つまたは複数は、前記液体容器の蓋に除去可能に取り付けられるように構成され、
前記液体容器の前記蓋は、ユーザが、前記フィルタを通して、前記液体容器の前記蓋の中の開口から外に水を引き込むことを可能にするように構成され、
前記フィルタコンパートメントは、少なくとも１つのフィルタ媒体を収容するように構成される、フィルタアセンブリ。
【発明の詳細な説明】
【技術分野】
【０００１】
（背景）
開発の分野
本開示の側面は、液体容器および液体容器蓋の分野を対象とする。より具体的には、本開示は、充填開口と、飲用開口とを有する液体容器蓋に関する。
【背景技術】
【０００２】
（関連技術の説明）
飲料容器は、水、ジュース、コーヒー、およびお茶等の液体の貯蔵および輸送のために至る所にある。従来の飲料容器は、飲料容器を被覆して飲用開口を提供する除去可能な蓋を含む。一般的な飲用開口は、啜込インターフェース（例えば、包含される飲料物を啜込するための開口部）または吸引インターフェース（例えば、ユーザによって生成された吸引を通して、包含される飲料物を吸い上げるように構成されるマウスピースタイプの飲料容器蓋）を含む。そのような蓋は、ねじ山付きまたは回転可能な係合、スナップ嵌合、摩擦嵌合、機械的相互係止、オス型／メス型コネクタ、もしくは他の適した除去可能な接続機構を通して飲料容器に係合する。
【０００３】
マウスピースタイプの飲料容器蓋は、近年、ますます人気を博しつつある。これらの飲料容器蓋は、関節運動可能なマウスピースを含み、関節運動可能なマウスピースは、閉鎖（例えば、折曲された）位置と開放（例えば、伸展された）位置との間で移動し、それぞれ、ユーザが飲料容器の内容物にアクセスすることを拒絶するまたは可能にする。故に、開放位置では、これらの飲料容器蓋のマウスピースは、飲料容器の内容物と選択的に流体連通し、逆もまた同様である。さらに、そのようなマウスピースタイプの飲料容器蓋は、多くの場合、１つまたは複数の通気オリフィスを含み、周囲空気が、飲料容器に進入し、容器内の吸引力を最小限にし、飲用を促進することを可能にする。
【０００４】
最終的には、従来の飲料容器蓋は、いくつかの理由のために不十分である。例えば、マウスピースタイプの飲料容器蓋は、典型的には、飲料容器を補充するために使用可能な開口を欠いている。その結果、ユーザは、概して、飲料容器を補充するために、従来の飲料容器蓋を飲料容器から除去しなければならない。飲料容器の補充毎に蓋を繰り返し除去し、交換しなければならないことは、ユーザに不便さを引き起こし、汚染物質および汚濁物質への飲料容器蓋内部および飲料容器内部の暴露を増加させる。
【０００５】
以前の飲料容器蓋はまた、付加的な衛生上の懸念も被る。例えば、大部分の飲料容器蓋は、液体の消費に先立って、飲料容器内の液体を汚染除去する、殺菌する、または他の態様で精製するためのフィルタ配列を欠いている。フィルタ配列を含むそれらの蓋では、フィルタの変位体積は、多くの場合、補充された飲料容器に蓋を取り付けるとき、飲料容器をあふれさせる。結果として、以前のフィルタ付き飲料容器蓋のユーザは、飲料容器を意図的に過小充填し、フィルタの変位体積を考慮しなければならない。さらに、従来のマウスピースタイプの飲料容器蓋は、マウスピースが閉鎖位置にあるとき、マウスピースの基部における開口部を環境に暴露させる。同様に、これらの飲料容器蓋は、マウスピースの飲用先端を閉鎖位置で（すなわち、マウスピースが使用されていないときに）シールまたは保護するための構造を有しない。したがって、以前のマウスピースタイプの飲料容器蓋は、閉鎖位置にあるとき、マウスピースの飲用先端または基部開口部に進入する汚染物質または汚濁物質に対する保護を全くまたは殆ど提供しないことがある。
【０００６】
故に、蓋を除去することなく飲料容器の補充を可能にする一方で、既存の飲料容器蓋によって提起された衛生上の懸念に対処する改良された飲料容器蓋の必要性が存在する。
【発明の概要】
【課題を解決するための手段】
【０００７】
いくつかの実施形態では、液体容器蓋が、提供される。液体容器蓋は、液体がそれを通して進入することを可能にするように構成される充填開口と、液体がそれを通して退出することを可能にするように構成される飲用開口とを備える。キャップは、充填開口に除去可能に密閉状態で係合するように構成されることができる。液体容器蓋は、キャップとヒンジ式に係合されるマウスピースをさらに含み、マウスピースは、飲用開口と選択的に流体連通する先端を有する。マウスピースは、キャップに対して閉鎖位置から開放位置まで移動可能である。
【０００８】
いくつかの実施形態では、液体容器との併用のためのフィルタアセンブリが、提供される。フィルタアセンブリは、入口と出口とを有する筐体を備え、筐体は、筐体基部と、少なくとも１つのフィルタ壁とを含み、少なくとも１つのフィルタコンパートメントが、筐体内に画定される。入口および出口のうちの１つまたは複数は、液体容器の蓋に除去可能に取り付けられるように構成される。液体容器の蓋は、ユーザが、フィルタを通して、液体容器の蓋の中の開口から外に水を引き込むことを可能にするように構成される。フィルタコンパートメントは、少なくとも１つのフィルタ媒体を収容するように構成される。
【図面の簡単な説明】
【０００９】
【図１】図１は、飲料容器蓋の一実施形態の断面図である。
【００１０】
【図２】図２は、飲料容器に加えた、図１の飲料容器蓋の断面図である。
【００１１】
【図３】図３は、開放位置におけるキャップを伴う、図１の飲料容器蓋の断面図である。
【００１２】
【図４】図４は、開放位置におけるマウスピースを伴う、図１の飲料容器蓋の斜視図である。
【００１３】
【図５Ａ】図５Ａは、フィルタ配列を含む、図２の飲料容器蓋の断面図である。
【００１４】
【図５Ｂ】図５Ｂは、いくつかの実施形態の分解された描写である。
【００１５】
【図５Ｃ】図５Ｃは、フィルタアセンブリおよび機能性モジュールのより詳細な描写である。
【００１６】
【図６】図６は、図２の飲料容器蓋の斜視図である。
【００１７】
【図７】図７は、図１の飲料容器蓋の左側面図である。
【００１８】
【図８】図８は、図１の飲料容器蓋の正面図である。
【発明を実施するための形態】
【００１９】
（詳細な説明）
図１〜図８は、ある体積の液体を飲料容器２００内で貯蔵することにおける使用のための飲料容器蓋１００のある実施形態を描写する。飲料容器２００は、任意の種類の液体と併用されることができ、液体の１つの非限定的実施例は、飲用に適した液体（例えば、飲料）を含む。本明細書で使用される場合、用語「飲料」は、水および他の飲用物を含む。図１〜図３および図５Ａならびに図５Ｂは、他の特徴の中でも、充填開口１１０と、飲用開口１２０と、キャップ１１１と、マウスピース１２１とを含む飲料容器蓋１００の断面図を提供する。図２に図示されるように、飲料容器蓋１００は、飲料容器２００と蓋１００との間のねじ山付き係合または回転可能な係合、スナップ嵌合、摩擦嵌合、機械的相互係止、もしくは他の適した除去可能な接続機構を通して、飲料容器２００に除去可能に接続され得る。随意に、飲料容器蓋１００の底部に沿って配置されるねじ山付き接続領域１５０が、飲料容器２００の外周部に沿って配置される対応する接続領域２５０と除去可能に接続し得る。
【００２０】
いくつかの実施形態では、蓋、容器、フィルタアセンブリ、および／または機能性モジュールは、単一の配列として組み合わせられることができる。他の実施形態では、構成要素のうちの１つ、または２つ、または３つが、下位部品として販売される、または使用される、またはともに組み合わせられることができる。いくつかの実施形態では、部品のうちの１つ、または２つ、または３つ、または４つ全てが、他の飲用システムおよび／または方法および／またはキットと組み合わせられることができる。いくつかの実施形態では、キャップは、蓋とヒンジ式に係合される。いくつかの実施形態では、キャップを開放することは、マウスピースを相応に移動させる（このデバイスは、そのような配列に構成される）。
【００２１】
いくつかの実施形態では、蓋が、提供される。蓋は、液体がそれを通して進入することを可能にするように構成される充填開口と、液体がそれを通して退出することを可能にするように構成される飲用開口とを備えることができる。キャップは、充填開口に除去可能に密閉状態で係合するように構成されることができる。液体容器蓋は、キャップとヒンジ式に係合されるマウスピースをさらに含み、マウスピースは、飲用開口と選択的に流体連通する先端を有する。マウスピースは、キャップに対して閉鎖位置から開放位置まで移動可能である。
【００２２】
いくつかの実施形態では、液体容器との併用のためのフィルタアセンブリが、提供される。フィルタアセンブリは、入口と出口とを有する筐体を備え、筐体は、筐体基部と、少なくとも１つのフィルタ壁とを含み、少なくとも１つのフィルタコンパートメントが、筐体内に画定される。入口および出口のうちの１つまたは複数は、液体容器の蓋に除去可能に取り付けられるように構成される。液体容器の蓋は、ユーザがフィルタを通して液体容器の蓋における開口から外に水を引き込むことを可能にするように構成される。フィルタコンパートメントは、少なくとも１つのフィルタ媒体を収容するように構成される。
【００２３】
図１に図示されるように、マウスピース１２１は、飲用チャネル１２７が先端開口部１２２と基部開口部１２３との間に画定されるように、基部開口部１２３と流体連通する先端開口部１２２を備えてもよい。マウスピース１２１は、マウスピースの上面１２１Ａと底面１２１Ｂとの間の距離として定義される厚さを有してもよい。マウスピース１２１の厚さは、先端開口部１２２からの距離の増加に伴って増加し得るが、厚さはまた、マウスピース１２１の長さに沿って均一であってもよい。マウスピース１２１はまた、上面１２１Ａから延在する突出部１２８を含み、ユーザによるマウスピース１２１の開放および閉鎖を促進してもよい。
【００２４】
マウスピース１２１は、飲料容器蓋１００に対して閉鎖位置と半閉鎖位置と開放位置との間で移動させられることができる。飲料容器蓋１００に対するマウスピース１２１のこの移動可能な配列は、ヒンジ１２６によって達成され得る。マウスピース１２１は、直接または間接的にヒンジ１２６と接続され得、これは、マウスピース１２１が、ユーザによって所望されるように、閉鎖位置と開放位置との間でヒンジ軸１２６Ａの周囲で枢動または回転することを可能にする。
【００２５】
マウスピース１２１の先端開口部１２２は、随意の飲料容器２００の内側の液体と選択的に流体連通してもよい。例えば、閉鎖位置では、マウスピース１２１の先端開口部１２２、基部開口部１２３、および飲用チャネル１２７は、図１に図示されるように、飲用開口１２０および送達チャネル１２４と流体連通しない。半閉鎖位置では、マウスピース１２１は、ヒンジ軸１２６Ａの周囲で部分的に回転されるが、マウスピース１２１の先端開口部１２２、基部開口部１２３、および飲用チャネル１２７は、飲用開口１２０および送達チャネル１２４と流体連通しない。しかしながら、開放位置では、マウスピース１２１は、ヒンジ軸１２６Ａの周囲で完全に回転され、マウスピース１２１の先端開口部１２２、基部開口部１２３、および飲用チャネル１２７は、飲用開口１２０および送達チャネル１２４と流体連通する。飲用開口１２０および／または送達チャネル１２４は、飲料容器蓋１００から随意の飲料容器２００の中へ延在するストローまたは他の導管構造と流体連通してもよい。故に、開放位置では、マウスピース１２１の先端開口部１２２における、ユーザによって生成された吸引が、飲料容器２００からユーザの口の中へ液体を引き込み得る。
【００２６】
図６〜図８は、飲料容器蓋１００が、随意に、マウスピース１２１が閉鎖位置にあるときにマウスピース１２１の基部開口部１２３を被覆する基部開口部カバー１２５を含むことを図示する。マウスピース１２１は、基部開口部１２３を被覆するように突出部１２８から下向きに延在し得る基部開口部カバー１２５を備えてもよい。随意に、基部開口部カバー１２５は、マウスピース１２１が閉鎖位置にあるとき、基部開口部１２３を被覆するように飲料容器蓋１００から上向きに延在し得る。基部開口部カバー１２５は、基部開口部１２３を囲繞するように成形されてもよい。有利には、基部開口部カバー１２５は、マウスピース１２１が閉鎖位置にあるとき、汚染物質および他の衛生上の懸念物（例えば、埃、虫等）が基部開口部１２３に進入することを防止する。
【００２７】
基部開口部カバー１２５は、マウスピース１２１が開放位置に移動されると基部開口部１２３から離れた所に偏向することが可能である弾性ポリマーまたは他の適した可撓性材料から形成されてもよい。随意に、基部開口部カバー１２５は、マウスピース１２１が開放位置にあるときに、基部開口部カバー１２５が偏向して基部開口部１２３と飲用開口１２０との間の流体連通を許容することを材料が依然として可能にする限り、より堅性の材料から形成されてもよい。加えて、それが飲料容器蓋１００から上向きに延在する場合、基部開口部１２５が偏向する必要性が低減または完全に排除され得るため、基部開口部カバー１２５は、より堅性の材料から形成されてもよい。
【００２８】
閉鎖位置または半閉鎖位置では、マウスピース１２１の底面１２１Ａに沿ったシール部分１２９が、液体が飲用開口１２０を通して逃散することを防止する。例えば、シール部分１２９は、飲用開口１２０、または、飲用開口１２０から上向きに延在する飲用開口壁１３０に係合し、それに対してシールし、それによって、液体が飲料容器蓋１００を通して飲用開口１２０を介して逃散することを防止し得る。下記に議論されるように、マウスピース１２１のシール部分１２９は、飲用開口１２０および／または飲用開口壁１３０に対して圧縮して共形シールを作成することができる弾性材料から形成されてもよい。加えて、開放位置から閉鎖位置へのマウスピース１２１の回転が、マウスピース１２１の飲用チャネル１２７内のユーザによって生成されたいかなる吸引も排除し、これは、液体が飲用開口１２０を通して逃散することを防止することに役立つ。
【００２９】
マウスピース１２１は、飲料容器蓋１００との共形シールを作成することが可能である弾性ポリマー材料（例えば、シリコーン、熱可塑性ポリウレタン）から形成されてもよい。随意に、マウスピース１２１は、半堅性または堅性材料（例えば、ポリカーボネート、食品グレードステンレス鋼）から形成されてもよい。精密な工学公差が、そのような半堅性または堅性材料が、弾性材料の必要性を伴わずに飲用開口１２０および／または飲用開口壁１３０に対して十分にシールすることを可能にし得る。また、マウスピース１２１は、単一の材料から成るモノリシック構造であってもよい、または、複数の材料から成ってもよい。例えば、シール部分１２９は、弾性材料から形成され得る一方で、先端開口部１２２は、より堅性の材料から形成されてもよい。複数の材料から形成されるマウスピース１２１の場合、より弾性の材料は、より堅性の材料に共成型され、マウスピース１２１の耐久性またはマウスピース１２１の製造の容易さを改良し得る。
【００３０】
飲用開口１２０に加えて、飲料容器蓋１００は、充填開口１１０を含む。充填開口１１０は、随意の飲料容器２００の内部へのアクセスを可能にする、蓋１００における開口部である。したがって、充填開口１１０は、ボトルへの入口ポートであり、液体がそれを通して傾注されることを可能にするように成形される。故に、充填開口１１０は、有利には、飲料容器２００が、飲料容器蓋１００を容器２００から除去する必要なく、補充されることを可能にする。飲料容器２００のより迅速な補充を促進するために、充填開口１１０の外周部は、図１〜図３および図５Ａに図示されるように、飲用開口１２０の外周部より大きくてもよい。いくつかの実施形態では、流入フィルタまたは他の機能性モジュールが、充填開口１１０に除去可能にまたは恒久的に取り付けられ、それを通して飲料容器２００の中へ流動する液体の汚染レベルを低減させてもよい、または、他の有利な利点を提供してもよい。そのようなフィルタの非限定的実施例は、メッシュフィルタ、カーボンフィルタ、活性炭フィルタ、セラミックフィルタ、および、流入フィルタとしての使用に適した他の適したフィルタを含む。そのような流入フィルタは、独立して、または、ストローアセンブリ３００と連動して、使用されてもよい（図５Ｃ）。
【００３１】
図１の基準枠では、充填開口１１０は、上側周辺部１１２と、下側周辺部１１３とを備える。キャップ１１１がその開放位置にあるときに飲料容器２００内の液体が充填開口１１０を通して逃散することを防止するために、一方向弁（例えば、逆止弁、図示せず）が、充填開口１１０の上側周辺部１１２に、下側周辺部１１３に、または、上側周辺部１１２と下側周辺部１１３との間に、除去可能にまたは恒久的に接続されてもよい。さらに、充填開口１１０の上側周辺部１１２は、下側周辺部１１３より大きく、飲料容器のより迅速な補充を促進し、液体が上側周辺部１１２を通して充填開口１１０から逃散しようとすることを阻止してもよい。また、図３に示されるように、充填開口１１０の下側周辺部１１３は、飲料容器蓋１００の最大内側周辺部が下側周辺部１１３から離間されるように、飲料容器蓋１００の最大内側周辺部より小さくてもよい。
【００３２】
飲料容器蓋１１０はまた、充填開口１１０を被覆するキャップ１１１を含む。キャップ１１１は、飲料容器蓋１００に対して開放位置と閉鎖位置との間で移動させられることができ、それぞれ、充填開口１１０へのアクセスを可能にするまたは拒絶する。いくつかの実施形態では、キャップ１１１は、図１に示されるように、ヒンジ１２６およびヒンジ軸１２６Ａをマウスピース１２１と共有してもよい。いくつかの実施形態では、キャップ１１１は、ヒンジ１２６をマウスピース１２１と共有しないが、飲料容器蓋１００に対して別個のヒンジおよびヒンジ軸を介して移動させられることができる。いずれの実施形態でも、キャップ１１１は、ユーザによって所望されるように、直接または間接的にヒンジに接続され、キャップ１１１が開放位置と閉鎖位置との間で対応するヒンジ軸の周囲で枢動または回転することを可能にしてもよい。ヒンジ１２６は、所望される場合、マウスピース１２１がキャップ１１１から独立して移動することを可能にする。例えば、マウスピース１２１は、キャップ１１１と移動可能に接続されてもよく、キャップ１１１は、蓋１００に移動可能に接続されてもよい。
【００３３】
キャップ１１１は、マウスピース１２１の少なくとも一部を支持または担持してもよい。例えば、マウスピース１２１の先端開口部１２２または底面１２１Ｂの一部は、マウスピース１２１がその閉鎖位置にあるとき、キャップ１１１の上に静置することができる。故に、キャップ１１１のその開放位置への移動は、図３に図示されるように、マウスピース１２１を相応に移動させることができる。随意に、マウスピース１２１の底面１２１Ｂ全体も、キャップ１１１の上に静置し得る。いくつかの実施形態では、マウスピース１２１の底面１２１Ｂは、閉鎖位置から開放位置へのキャップ１１１の移動がマウスピース１２１を相応に移動させないように、キャップ１１１によって支持または担持されない。
【００３４】
キャップ１１１は、キャップ１１１の底面から突出する縁１１１Ａを含んでもよい。縁１１１Ａの周辺部は、キャップ１１１の底面の周囲に延在し、キャップ１１１が閉鎖位置にあるとき、充填開口１１０の外側周辺部または内側周辺部のいずれかに除去可能に係合する。図１〜図３および図５Ａに図示されるように、縁１１１Ａは、（例えば、キャップ１１１が閉鎖位置にあるとき）充填開口１１０の上側周辺部１１２に係合する、または（例えば、キャップ１１１が開放位置にあるとき）充填開口１１０から係脱してもよい。キャップ１１１はまた、少なくとも１つの通気オリフィス１７０を含み得、吸引下で飲料容器２００から液体を飲用することを促進する。通気オリフィス１７０は、マウスピース１２１が、閉鎖位置にあるとき、マウスピース１２１の一部の下方に位置する小径孔をキャップ１１１内に備え得るが、通気オリフィス１７０は、キャップ１１１に沿った他の適した場所または蓋１００上の他所に位置してもよい。
【００３５】
キャップ１１１の縁１１１Ａは、充填開口１１０に対するシールを形成し得、充填開口１１０から外への液体の漏出を防止する、または、汚染物質および汚濁物質が充填開口１１０にアクセスすることを妨げる。例えば、キャップ１１１の縁１１１Ａは、充填開口１１０の上側周辺部１１２との摩擦嵌合、Ｏリング嵌合、ガスケット嵌合、または同様の適したシール機構を形成し得、これは、キャップ１１１が偶発的に開放することを防止する。縁１１１Ａはまた、縁１１１Ａの少なくとも一部が上側周辺部１１２との係合に応じて偏向する除去可能なスナップ嵌合接続を介して、上側周辺部１１２に除去可能に係合してもよい。そのようなスナップ嵌合接続機構は、キャップ１１１が閉鎖位置にあること、したがって、充填開口１１０が現在シールされていることの触覚フィードバックおよび／または可聴フィードバックをユーザに提供し得る。他の適した接続機構（例えば、縁１１１Ａと充填開口１１０との間の機械的相互係止）もまた、使用され得る。有利には、キャップ１１１と充填開口１１０との間のシール係合は、上記に説明される随意の逆止弁の包含を超えたある程度の漏出保護をもたらす。
【００３６】
図１〜図３および図５Ａはまた、飲料容器蓋１００のキャップ１１１が、縁１１１Ａに対して半径方向に外向きにかつ外側蓋周辺部１０１を越えて延在する辺縁１１１Ｂを備え得ることを図示する。故に、キャップ１１１の辺縁１１１Ｂは、上部蓋表面１０２に重なるか、または、上部蓋表面１０２に除去可能に接続するかのいずれかであり得る。例えば、辺縁１１１Ｂは、上部蓋表面１０２との除去可能なスナップ嵌合、機械的相互係止、摩擦嵌合、または他の適した除去可能な接続を形成してもよい。有利には、外側蓋周辺部１０１を越えた辺縁１１１Ｂの突出は、辺縁１１１Ｂを、開放位置と閉鎖位置との間でキャップ１１１を移動させるためにユーザによって使用されることができる容易に識別可能かつアクセス可能な点にする。
【００３７】
キャップ１１１はまた、図１に見られるように、その上面上に、マウスピース１２１が閉鎖位置にあるときにマウスピース１２１の先端および先端開口部１２２を除去可能に係合する保護陥凹部１１４を備えてもよい。故に、マウスピース１２１は、有利には、使用されていないとき、保護陥凹部１１４に対してシールし、いかなる汚染物質または汚濁物質もマウスピース１２１の先端開口部１２２に進入することを防止し得る。随意に、保護陥凹部１１４は、マウスピース１２１の上面１２１Ａの一部を選択的に被覆する部分を含み、先端開口部１２２の汚染に対する付加的な保護を提供してもよい。
【００３８】
ここで、図５Ａを参照すると、飲料容器蓋１００はまた、随意に、ストローアセンブリ３００を備えてもよい（図５Ｃ）。ストローアセンブリ３００は、飲料容器２００の底部から、ストロー送達導管３０７を介して、飲料容器蓋１００のストロー接続部分１６０に液体を移送するのに役立ち、飲料容器２００が直立状態の垂直位置にある間に液体が移送されることを可能にする。いくつかの実施形態では、ストローアセンブリ３００は、ストロー３０１、機能性モジュール３１３、または、ストロー３０１と機能性モジュール３１３との両方を備えてもよい（図５Ｃ）。機能性モジュール３１３は、水がモジュールを通過するにつれて、有利な利点を提供する。ストロー３０１と機能性モジュール３１３との組み合わせが、図５に示されるように、飲料容器２００の底部から飲料容器蓋１００のストロー接続部分１６０までの距離に架かるように使用されることができる。しかしながら、機能性モジュール３１３の高さが、その距離に架かるために十分に高い場合、ストロー３０１は要求されない場合がある。
【００３９】
ストローアセンブリ３００は、飲料容器蓋１００に除去可能に接続されてもよい。例えば、図５Ａおよび図５Ｂに見られるように、ストロー３０１は、飲料容器蓋１００のストロー接続部分１６０に密閉状態で係合するために、ストロー上部３０６近傍に１つまたは複数のＯリングを含んでもよい。図１に見られるように、ストロー接続部分１６０は、飲料容器蓋１００から下向きに延在する縁によって画定される。例えば、フィルタ接続部分は、送達チャネル１２４を囲繞する縁であってもよい。ストロー３００は、飲料容器蓋１００のストロー接続部分１６０に除去可能に接続されてもよい。いくつかの実施形態では、ストロー上部３０６は、ストロー接続部分１６０の中へ圧迫または押込され、構成要素間に摩擦嵌合を形成してもよい。随意に、ストロー３０１は、飲料容器蓋１００のストロー接続部分１６０内の対応する噛合陥凹部に係合するＯリング３０３Ａ、３０３Ｂの代わりに、ストロー上部３０６の近傍に１つまたは複数の突出縁を含み、除去可能な機械的相互係止もしくはスナップ嵌合接続を形成してもよい。代替として、他の適した除去可能な接続機構が、ストロー３０１を飲料容器蓋１００に除去可能に接続するために使用されてもよい。同様の適した除去可能な接続機構もまた、機能性モジュール３１３を飲料容器蓋１００に直接接続するために使用されてもよい。１つまたは複数の機能性モジュール３１３が、直列に接続されてもよい。そのようなモジュール式アセンブリは、有利には、下記に議論されるように、殺菌または微粒子の除去等の異なる有益な機能を実行するために、ユーザによって交換可能であってもよい。随意に、いくつかの実施形態では、飲料容器蓋１００は、１つまたは複数の機能性モジュール３１３を用いずに使用され得る。
【００４０】
ストローアセンブリ３００（図５Ａ〜Ｃ）は、図５Ａに見られるように、入口３０２を含み得、入口３０２は、ストローアセンブリ底部３０５に位置し、飲料容器２００の底部内部表面から離間された距離を空けて位置付けられる。飲料容器２００とストローアセンブリ底部３０５との間の離間された距離は、ユーザが入口３０２を通して液体を引き込むことができることを確実にする。支持ばね３０８が、ストローアセンブリ底部３０５に接続され、飲料容器２００の底部内部表面と接触し、離間された距離を維持してもよい。飲料容器蓋１００、ストローアセンブリ３００、および飲料容器２００が、ともに組み立てられると、支持ばね３０８は、構成要素全てがぴったりと嵌合してストローアセンブリ３００の運動を限定することを確実にし、組み立てられた飲料容器が手荒に扱われたまたは落下された場合に損傷を防止する。支持ばね３０８は、飲料容器２００の底部内部表面に対して圧迫されると圧縮されることができる材料から形成されてもよい。支持ばね３０８はまた、それを通した液体の通過を可能にする材料から形成され得、飲料容器２００からストローアセンブリ３００への液体の移送を遮断しない。精密な工学設計および公差が、半堅性または堅性材料が、支持ばねとして十分に機能することを可能にし得る。代替として、圧縮可能な材料（例えば、スポンジ、発泡体、膜、または不織布）が、使用されてもよい。いくつかの実施形態では、フィルタアセンブリまたはフィルタユニットが、あるタイプの機能性モジュールである。
【００４１】
ストローアセンブリ底部３０５はまた、ストローアセンブリ底部３０５に対してかつ入口３０２に対して据え付けられる弁３０４（例えば、一方向弁または逆止弁）を含んでもよい。弁３０４は、例えば、飲料容器蓋１００が使用されていないとき、閉鎖弁位置（図５Ａ参照）までばね付勢され、液体がストローアセンブリ３００に進入することを防止してもよい。マウスピース１２１の先端開口部１２２における、ユーザによって生成された吸引は、弁の付勢力を克服し、弁３０４をストローアセンブリ底部３０５から持ち上げ、液体がストローアセンブリ３００に進入することを可能にするために、十分である。故に、飲料容器蓋１００が使用されている（例えば、吸引下にある）とき、液体のみが、ストローアセンブリ３００に進入し得、弁３０４は、液体がストローアセンブリ３００から入口３０２を介して出ることを防止する。
【００４２】
機能性モジュール３１３はまた、ストロー２００のストロー送達導管３０７、または、飲料容器蓋１００の送達チャネル１２４ならびに／あるいは飲用開口１２０のいずれかと流体連通する機能性モジュール上部３３０に位置する出口３３１を含んでもよい。ストローアセンブリ底部３０５は、機能性モジュール３１３の基部として役立ち得、（例えば、除去可能なスナップ嵌合、摩擦嵌合、機械的相互係止、または他の適した除去可能な接続機構を介して）機能性モジュール３１３に除去可能に接続されてもよい。代替として、ストローアセンブリ底部３０５は、機能性モジュール３１３と一体型であってもよい、または、他の態様で機能性モジュール３１３から除去不可能であってもよい。
【００４３】
機能性モジュール３１３は、ユーザによって生成された吸引に応じて、液体が、飲料容器２００から、機能性モジュール３１３を通して、次いで、ストロー３０１を通して、次いで、マウスピース１２１の飲用開口１２０および先端開口部１２２を通して引き込まれるように、飲用開口１２０と流体連通してもよい。例えば、使用時、マウスピース１２１の先端開口部１２２における、ユーザによって生成された吸引は、入口３０２を通して、機能性モジュール３１３の内部を通して、ストロー送達導管３０７を通して、かつ送達チャネル１２４と飲用開口１２０とマウスピース１２１とを通して、ユーザまで液体を引き込み得る。故に、マウスピース１２１の先端開口部１２２は、マウスピース１２１が、開放位置にあるとき、入口３０２と流体連通してもよい。
【００４４】
ストロー３０１と機能性モジュール３１３と機能性モジュール上部３３０とストローアセンブリ底部３０５と弁３０４と支持ばね３０８とを含むストローアセンブリ３００は、半堅性または堅性材料から形成されてもよい。好ましくは、これらの構成要素を形成する材料は、低温および高温の両方（例えば、約０〜２００°Ｆの温度）の液体に耐えるように十分に耐久性を有する一方で、飲料容器蓋１００とストローアセンブリ３００との組み合わせを不便なほどに重くすることを回避するように十分に軽量である。ストローアセンブリ３００は、ポリマー材料（例えば、ポリカーボネート）または金属材料（例えば、食品グレードのステンレス鋼）から形成されてもよい。加えて、弁３０４は、ストローアセンブリ底部３０５に対して据え付けられることが可能である弾性ポリマー材料または任意の他のポリマーあるいは金属材料から形成されてもよい。しかしながら、いくつかの実施形態では、弁３０４は、入口３０２の周囲に配置されるシールまたはＯリングに対して据え付けられる堅性部材であってもよい。飲料容器２００は、ガラス、金属、プラスチック、または、これらの材料のうちの１つまたは複数を伴う任意の適した組み合わせから形成されてもよい。随意に、飲料容器２００は、二重壁構造を有してもよい。
【００４５】
いくつかの実施形態では、機能性モジュール３１３は、充填開口１１０に除去可能に接続されてもよく、図５Ａに示されるものと同一の配向で使用されてもよい、または、図５Ａに示される配向と比較して逆転されてもよい。例えば、機能性モジュール上部３３０は、スナップ嵌合、機械的相互係止、摩擦嵌合、または他の適した除去可能な接続機構を介して、充填開口１１０の下側周辺部１１３に除去可能に接続されてもよい。この構成は、液体が、充填開口１１０の中へ傾注されることに応じて、機能性モジュール３１３を通過することを可能にする。結果として、この構成は、液体が重力濾過または低圧濾過されることを可能にし、これは、上記に説明される吸引ベースの機構の必要性を除去する。
【００４６】
飲料容器蓋１００は、機能性モジュール３１３の異なる構成を具備してもよい。そのような構成は、有利には、異なる有益な機能を実行するために使用されてもよい。機能性モジュール３１３は、液体がモジュールを通過するにつれて有害な汚染物質を除去または排除することによって液体を精製する濾過モジュールを備えてもよい。この実施形態では、機能性モジュール３１３は、濾過媒体または機構を包含し得、濾過媒体または機構は、顆粒状濾過媒体、襞が付けられたまたは襞が付けられていない不織フィルタ媒体、濾過膜、固体セラミックあるいは炭素ブロック、殺菌媒体、吸着媒体、照射源（例えば、殺菌のための紫外線ランプ）、またはこれらの水精製材料および機構のいくつかの組み合わせを備え得る。
【００４７】
機能性モジュール３１３はまた、モジュールを通過するにつれて液体の味および風味を向上させるまたは改良するモジュールを備えてもよい。この実施形態では、機能性モジュール３１３は、液体がモジュールを通過するにつれてお茶またはコーヒーの風味が茶葉またはコーヒーの出し殻から抽出されるお茶またはコーヒー注入器を包含してもよい。モジュールはまた、水がモジュールを通過するにつれてゆっくり分解する、風味を付与する、味を改良する、食感を向上させる、または健康上の利点（例えば、栄養補助食品またはビタミン）を提供する粉末状の固体、顆粒状の固体、またはタブレットを包含してもよい。代替として、機能モジュール３１３は、モジュールを通過するにつれて液体に溶存ガス（例えば、二酸化炭素または窒素）を添加して炭酸飲料または窒素生成された飲料を提供する機構を包含してもよい。
【００４８】
機能性モジュール３１３はまた、モジュールを通過するにつれて液体の温度を調節するモジュールを備えてもよい。この実施形態では、機能性モジュール３１３は、電気加熱または冷却要素（例えば、抵抗加熱器または熱電冷却要素）を包含してもよい、または、それは、温度を変調させることができる潜熱蓄熱ユニット（例えば、適した相変化物質）を包含してもよい。代替として、モジュールは、飲料容器蓋１００および飲料容器２００との併用に先立って家庭用冷凍機内に設置される再利用可能な凍結可能ゲル材料または氷ブロックを包含してもよい。
【００４９】
機能性モジュール３１３はまた、データ収集のためのセンサデバイスを包含するモジュールを備えてもよい。センサは、入口３０２の近傍に設置され、飲料容器２００内に包含される液体の関連する水質データを測定および収集してもよい。代替として、センサは、液体が機能性モジュール３１３から退出してマウスピース１２１の先端開口部１２２を通してユーザまで送達されるにつれて液体の関連する水質データを収集するために、出口３３１の近傍に設置されてもよい。関連する水質パラメータは、限定ではないが、ｐＨ、伝導性、総溶解固形物（ＴＤＳ）、アルカリ度、濁度、無機化学物質（例えば、鉛、クロム、砒素）、および有機化学物質（例えば、殺菌副生成物、ペルフルオロ化合物、殺虫剤）を含む。センサデータが、機能性モジュール３１３から、無線技術を介して、外部デバイスに伝送されてもよい。機能性モジュール３１３はまた、水使用量および消費量データを収集するために使用され、ユーザが、その水消費量の追跡を保ち、その個人の健康または食事の目標を充足することを可能にしてもよい。機械式または電気式カウンタが、機能性モジュール３１３を通過している水の体積を記録するために使用されてもよい。このカウンタは、ユーザに警告する、または、機能性モジュールの容量が使い果たされているときに液体が機能性モジュールを通過することを物理的に遮断する警報または遮断デバイスと連動して使用されてもよい。
【００５０】
機能性モジュール３１３のいくつかの実施形態は、電力源または電力供給源（例えば、紫外線殺菌、温度変調、センサ）の使用を伴ってもよい。機能性モジュール３１３は、小型の電力源（例えば、バッテリまたは再充電可能バッテリ）を包含してもよい。機能性モジュール３１３はまた、随意に、発電のための機構（例えば、液体が機能性モジュールを通して流動して電気を発生させるにつれて回転するフライホイールまたはタービン）を含んでもよい。この発生させられた電力は、機能性モジュールの他の構成要素によって直接消費されてもよい、または、バッテリの中に蓄えられてもよい。
【００５１】
機能性アセンブリ３１３が、フィルタアセンブリを備えるとき、フィルタ筐体３０９は、フィルタ筐体３０９内の１つまたは複数のフィルタ媒体を分離または包含するための１つまたは複数のフィルタ壁を備えてもよい。具体的には、フィルタ筐体３０９は、第１のフィルタ壁３１０と、第２のフィルタ壁３２０とを備えてもよい。フィルタ筐体３０９は、特定の濾過シナリオに関して必要なだけの数のフィルタ壁を備えてもよい。例えば、フィルタ筐体３０９は、濾過が所望されていない場合は、フィルタ壁を包含しなくてもよい、または、特定の濾過の必要性によって必要とされるときには、単一のフィルタ壁、または５個のフィルタ壁、または１０個のフィルタ壁、または２０個のフィルタ壁、または５０個のフィルタ壁を包含してもよい。図５Ａに図示される実施形態は、第１および第２のフィルタ壁３１０、３２０を備える。フィルタ壁の各々は、フィルタ壁が、検査のため、清掃のため、または内部フィルタ構成要素の交換を可能にするために筐体から完全に除去され得るように、（例えば、スナップ嵌合、摩擦嵌合、または他の適した接続機構を介して）フィルタ筐体３０９の内壁に除去可能に接続されてもよい。
【００５２】
図５Ａに見られるように、フィルタ壁は、フィルタ筐体３０９の内部を、フィルタ媒体を包含するために使用され得る個々のフィルタコンパートメントに分離する。第１のフィルタコンパートメント３１２は、上部において第１のフィルタ壁３１０によって、底部においてストローアセンブリ底部３０５によって、および、側面においてフィルタ筐体３０９またはストローアセンブリ底部３０５によって、画定されてもよい。同様に、第２のフィルタコンパートメント３２２は、上部において第２のフィルタ壁３２０によって、底部において第１のフィルタ壁３１０によって、および、側面において、フィルタ筐体３０９、または第２のフィルタ壁３２０から下向きに延在する縁のうちのいずれかによって、画定されてもよい。さらに、第３のフィルタコンパートメント３３２は、上部において機能性モジュール上部３３０によって、底部において第２のフィルタ壁３２０によって、および、側面において、フィルタ筐体３０９、または機能性モジュール上部３３０から下向きに延在する縁のうちのいずれかによって、画定されてもよい。各フィルタ壁は、先のフィルタコンパートメントからの出口および後続のフィルタコンパートメントへの入口として役立つオリフィスを画定する。故に、第１のフィルタ壁３１０は、第１のフィルタ出口３１１を含み、第２のフィルタ壁３２０は、第２のフィルタ出口３２１を含む。より多いまたは少ないフィルタコンパートメントが、濾過シナリオに応じてフィルタ筐体３０９内に画定されてもよく、故に、より多いもしくは少ないフィルタ出口が、含まれてもよい。
【００５３】
フィルタコンパートメント３１２、３２２、３３２は、各々、少なくとも１つのフィルタ媒体を収容してもよい、または、空であってもよい。異なるフィルタ媒体が、機能性モジュール３１３が、例えば、最適な濾過性能のために、吸着媒体、電気吸着媒体、殺菌媒体、サイズ排除媒体、および風味または臭気制御媒体を含むフィルタ媒体の層状にされたまたは懸濁された組み合わせを備え得るように、各フィルタコンパートメント内に封入されてもよい。例えば、フィルタコンパートメント３１２、３２２、または３３２のうちのいずれかは、環境汚染物質（例えば、（フッ化物、亜ヒ酸塩、ヒ酸塩、硝酸塩、クロム酸塩、亜セレン酸塩、セレン酸塩等を含む）有毒なアニオン、金属、重金属または（鉛、水銀、カドミウム、亜鉛、銅、クロム等を含む）それらの塩類、揮発性有機化学物質、殺虫剤、除草剤、医薬品化学物質、合成または天然有機物、および同等物）を吸着、結合、浄化、または清浄することが可能である吸着媒体を収容してもよい。吸着媒体の実施例は、顆粒状フィルタ媒体、イオン交換樹脂、金属酸化物官能化樹脂、アニオン選択性樹脂、カチオン選択性樹脂、顆粒状活性炭、運動劣化流動体（ＫＤＦ）、ゼオライト、金属イオン交換ゼオライト吸着材、酸化または水酸化ジルコニア、天然もしくは合成吸着材（セルロースを含む）、または他の適した顆粒状フィルタ媒体を含む。吸着媒体の成分は、活性炭、顆粒状活性アルミナ、顆粒状珪藻土、顆粒状シリカゲル、顆粒状ゼオライト、顆粒状ケイ酸塩、顆粒状合成分子篩、顆粒状イオン交換樹脂粒子、顆粒状鉱物粘土、顆粒状アルミノケイ酸塩、顆粒状チタン酸塩、顆粒状骨炭、顆粒状ＫＤＦ処理媒体、顆粒状ヨウ素化樹脂、顆粒状セラミック、顆粒状パーライト、顆粒状砂、イオン交換樹脂と金属酸化物との顆粒状ハイブリッド体、活性炭と金属酸化物との顆粒状ハイブリッド体、官能化された顆粒状活性炭、ポリマー吸着樹脂、（合成ポリマーナノファイバまたはマイクロファイバを含む）ナノファイバまたはマイクロファイバ、天然ポリマーナノファイバまたはマイクロファイバ、天然ポリマーナノファイバまたはマイクロファイバの誘導体、無機ナノファイバまたはマイクロファイバ、ナノフィブリル化繊維、ミクロフィブリル化繊維、またはそれらの任意の組み合わせから選択される１つまたは複数の化合物を含んでもよい。環境汚染物質を吸着、結合、または清浄することが可能である例証的な吸着媒体は、２０１６年２月１８日に公開された公開済みの特許協力条約（ＰＣＴ）特許出願ＷＯ２０１６／０２５８７３、および、２０１７年８月２４日に公開された米国特許公開第２０１７−０２３９６００号に説明される顆粒状濾過媒体混合物であり、その両方が、参照することによって本明細書に援用される。さらに、吸着媒体は、フィルタコンパートメント全体またはその一部のみのいずれかを占有する、フィルタ媒体の単一層あるいは混合層または懸濁されたフィルタ媒体を含んでもよい。随意に、１つのフィルタ媒体が、別のフィルタ媒体と組み合わせられ、単一のフィルタコンパートメント内の層状にされたまたは懸濁された組み合わせになってもよい。吸着媒体との接触によって除去されることができる汚染物質は、限定ではないが、微粒子状粒子、コロイド粒子、微粒子、懸濁粒子、有機物、残留ハロゲン（例えば、残留塩素または残留臭素）、セレン、ヒ酸塩、亜ヒ酸塩、フッ化物、ニクロム酸塩、マンガン、スズ、白金、鉄、コバルト、クロム酸塩、モリブデン酸塩、亜セレン酸塩、セレン酸塩、ウラン、バナジウム、バナジン酸塩、ルテニウム、アンチモン、モリブデン、タングステン、バリウム、セリウム、ランタン、ジルコニウム、チタン、および／または、ラジウム、亜鉛、銅、鉛、水銀、カドミウム、ならびに、産業廃棄物を通して放出される、天然有機物（ＮＯＭ）、殺虫剤および除草剤残留物、内分泌かく乱化学物質、医薬品残留物、ならびに有機化合物を含む。粒子は、限定ではないが、鉛、銅、酸化鉄、オキシ水酸化鉄、シリカ等の粒子を含む。汚染水源は、限定ではないが、地方自治体の供給源または地方の井戸からの水道水、および、地方自治体の水処理施設を含む。いくつかの実施形態では、金属汚染物質は、限定ではないが、亜鉛、銅、鉛、水銀、カドミウム、鉄、コバルト、クロム酸塩、ニクロム酸塩、マンガン、スズ等を含む。水源からの汚染物質粒子は、限定ではないが、汚染水中に広く存在する、微粒子状粒子、コロイド粒子、微粒子、懸濁粒子を含む。
【００５４】
非限定的実施例として、１つのフィルタコンパートメントは、吸着複合物を含んでもよく、第２のフィルタコンパートメントは、殺菌媒体を含んでもよく、第３のフィルタコンパートメントは、サイズ排除膜フィルタを含んでもよい。具体的なフィルタ媒体配列が機能性モジュール３１３内においてモジュール方式で達成されることができるような、フィルタ媒体のいかなる再順序付けも、可能である。別の実施例では、１つのフィルタコンパートメントは、ＷＯ２０１６／０２５８７３に説明される顆粒状濾過媒体混合物を含んでもよく、第２のフィルタコンパートメントは、殺菌媒体を含んでもよく、第３のフィルタコンパートメントは、サイズ排除膜フィルタを含んでもよい。別の実施例では、１つのフィルタコンパートメントは、ＷＯ２０１６／０２５８７３に説明される顆粒状濾過媒体混合物を含んでもよく、第２のフィルタコンパートメントは、イオン交換樹脂フィルタ媒体を含んでもよく、第３のフィルタコンパートメントは、ＫＤＦフィルタ媒体を含んでもよい。加えて、顆粒状殺菌媒体は、上記に議論されるフィルタ媒体のうちのいずれかの代わりに、または、上記に議論されるフィルタ媒体のうちのいずれかに加えて使用されてもよい。例えば、第１のフィルタコンパートメント３１２は、殺菌媒体を含んでもよく、第２のフィルタコンパートメント３２２は、サイズ排除膜殺菌フィルタ媒体（例えば、中空の繊維膜）を含んでもよく、第３のフィルタコンパートメント３３２は、イオン交換樹脂フィルタ媒体を含んでもよい。具体的なフィルタ媒体配列がストローアセンブリ３００内においてモジュール方式で達成されることができるような、フィルタ媒体のいかなる再順序付けも、可能である。フィルタコンパートメント３１２、３２２、または３３２は、ストローアセンブリ３００の流率および濾過要件を達成するために適した任意のサイズであってもよく、相互にサイズが異なってもよい、または、同一のサイズであってもよい。随意に、各フィルタコンパートメントは、第１の側に上部スクリーン、および／または、上部スクリーンの反対の側に底部スクリーンを有し、フィルタ媒体が逃散することを防止してもよい。フィルタコンパートメントは、フィルタコンパートメント内に収容される濾過媒体のタイプに応じて、上部スクリーンおよび底部スクリーン、上部スクリーンのみ、または底部スクリーンのみを有してもよい。
【００５５】
殺菌媒体が、細菌、ウイルス、カビ、藻類、原虫、または病原体を死滅させる、または不活化させる、または排除する、または捕捉するために使用される。殺菌媒体は、ハロゲン化ポリスチレンヒダントインビーズを含むＮ−ハラミンとして公知であるクラスの化合物を含み得る。Ｎ−ハラミンは、アミンに付着される塩素または臭素あるいは両方に起因する殺菌性質を有する環状アミンを含む。ハロゲン化ポリスチレンヒダントインビーズは、塩素または臭素を用いてハロゲン化されることができ、種々の割合の架橋を有し得る。ハロゲン化ポリスチレンヒダントインビーズは、米国特許第７，６８７，０７２号および第６，５４８，０５４号に開示され、その両方が、参照することによって明示的に本明細書に援用される。殺菌媒体はまた、参照することによって明示的に本明細書に援用される米国特許第５，４９０，９８３号の殺菌性のポリマー環状Ｎ−ハラミンも含むことができる。しかしながら、他の殺菌媒体（例えば、Ｎ−ハラミン、Ｎ−ハラミンポリマー、第４級アンモニウム化合物、またはヨウ素化樹脂）も、使用されることができる。殺菌媒体は、ＨＡＬＯＰＵＲＥ臭素化媒体、塩化ビーズ、臭素化ビーズ、またはハロゲン化ビーズと補助剤（例えば、ナノファイバまたはナノ粒子）との混合物を含むことができる。ナノ粒子は、ナノ酸化鉄、ナノオキシ水酸化鉄、ナノ水和酸化第二鉄（ＨＦＯ）、ナノ酸化チタン、ナノ酸化ジルコニウム、ナノ酸化セリウム、ナノ酸化マンガン、ナノ酸化亜鉛、ナノ磁性酸化鉄、またはそれらの任意の組み合わせを含むことができる。いくつかの実施形態では、殺菌媒体は、微生物を捕捉または除去する電気吸着湿式不織媒体であり得る。殺菌媒体の組み合わせもまた、上記に説明されるように使用されることができる。
【００５６】
殺菌媒体は、随意に、水の精製または浄化のための生物学的および化学的汚染物質低減を通して水殺菌の二重機能を提供することができるナノ粒子に連結されるポリマーを有するハイブリッド粒子または組成物を含むことができる。そのようなハイブリッド粒子は、２０１６年４月１２日に公開されたＰＣＴ特許出願ＷＯ２０１６／０６１２６５、および、２０１７年８月２４日に公開された米国特許公開第２０１７−０２４０４３５号Ａｌに説明され、その両方が、参照により本明細書に援用される。
【００５７】
フィルタコンパートメント３１２、３２２、および３３２単独、または他の媒体との組み合わせにおいて使用されることができる付加的媒体は、限定ではないが、活性炭、イオン交換樹脂、被嚢除去媒体、ならびに集塵媒体を含む。活性炭は、他の態様で水を着色するまたは水に不快な風味または臭気を与える化合物を除去することができる。例えば、活性炭は、有機化合物を除去することができる。活性炭媒体は、顆粒状活性炭、粉末状活性炭、押出活性炭（結合剤を伴う活性炭）、ビーズ活性炭、含浸炭素（例えば、金属を伴う活性炭素）、およびポリマーコーティングされた炭素を含むことができる。活性炭は、フィルタの中に任意の順序で設置されることができる。いくつかの実施形態では、活性炭は、存在するとき、前置フィルタに追従する。
【００５８】
イオン交換樹脂は、イオン交換を通して水からあるイオン化合物を除去することができる。イオン交換樹脂は、イオン交換媒体（例えば、正に荷電したイオンを交換するカチオン交換樹脂、負に荷電したイオンを交換するアニオン交換樹脂、または、正と負との両方に荷電した樹脂を交換し得る、両性交換樹脂）を含み得る。イオン交換樹脂は、カルシウム、マグネシウム、鉄、またはマンガンを水から除去するために使用されることができる。イオン交換樹脂は、水から硝酸塩および有機物を除去するために使用されることができる。いくつかの実施形態では、イオン交換樹脂媒体は、架橋ポリスチレン等のポリマー基質を含む。いくつかの実施形態では、イオン交換樹脂媒体は、多孔性である。いくつかの実施形態では、イオン交換樹脂媒体は、ビーズまたは膜の形態にあることができる。イオン交換樹脂媒体は、アミノ基、カルボン酸基、およびスルホン酸基等の官能基を含んでもよい。官能基は、除去されることが所望されるイオン化合物に依存し得る。イオン交換樹脂は、フィルタの中に任意の順序で設置されることができる。いくつかの実施形態では、イオン交換樹脂は、活性炭に追従する。いくつかの実施形態では、イオン交換樹脂は、殺菌媒体に追従する。
【００５９】
被嚢除去媒体は、被嚢（例えば、ジアルジアおよびクリプトスポリジウム）または他の水媒介性寄生虫を除去することができる。いくつかの実施形態では、被嚢除去は、「深部」タイプフィルタ等の被嚢除去媒体を含むことができる。深部タイプフィルタでは、除去されるべき物質（例えば、被嚢）は、媒体の表面上だけではなく、フィルタ媒体の深さ全体を通して留保される。深部タイプの繊維質フィルタ媒体は、例えば、製織型、不製織型、巻装型、紡績型、メルトブロー型、または樹脂接着型であり得る。深度タイプフィルタ媒体はまた、セラミックフィルタを含むことができる。他の被嚢除去媒体は、膜フィルタ媒体を含んでもよい。いくつかの実施形態では、被嚢除去媒体は、襞が付けられたフィルタ媒体を含むことができる。いくつかの実施形態では、被嚢除去媒体は、サイズが約１ミクロンまたはより小さい粒子を除去するように定格化されることができる。さらに、いくつかの実施形態では、被嚢除去フィルタ媒体は、約１ミクロンまたはそれを下回る細孔サイズを有することができる。いくつかの実施形態では、被嚢除去のためのフィルタ媒体は、官能化された網状のポリウレタン発泡体であり得る。いくつかの実施形態では、被嚢除去媒体は、電気吸着湿式不織媒体であり得る。被嚢除去媒体が使用されるいくつかの実施形態では、被嚢除去媒体は、フィルタコンパートメントの最後（例えば、マウスピース１２１の先端開口部１２２に最も近接するフィルタコンパートメント内）にあり得る。
【００６０】
集塵媒体は、他の濾過媒体のうちのいずれかによって放たれ得るハロゲンを除去することができる。例えば、殺菌媒体が塩化または臭素化Ｎ−ハラミンを使用するとき、塩素または臭素が、水の中へ放出され得る。集塵媒体は、放出され得る塩素、臭素、または任意の他のハロゲンを除去するために提供される。集塵媒体は、概して、殺菌段階の後、または、水質に影響を及ぼし得る化合物を放出し得る任意の他の媒体の後に設置されることができる。いくつかの実施形態では、集塵媒体は、特に、殺菌媒体がＮ−ハラミンを含むとき、殺菌媒体の後に使用され得る。いくつかの実施形態では、集塵媒体は、イオン交換樹脂媒体の後に使用されることができる。集塵媒体は、活性炭または活性炭ブロックを含む集塵媒体（例えば、吸着媒体）を含むことができる。
【００６１】
上記に説明されるように、ユーザによって生成された吸引は、飲料容器２００から、ストローアセンブリ３００を通して、かつマウスピース１２１の先端開口部１２２を通して、ユーザまで液体を引き込むために使用され得る。ユーザの使用し易さのために、１平方インチあたり約１／２（０．５）ポンド（「ｐｓｉ」）〜約３ｐｓｉの引込力（例えば、吸引力）が、ストローアセンブリ３００およびその中の任意の機能性モジュールを通してユーザまで液体を引き込むために十分であり得る。いくつかの実施形態では、１／２（０．５）ｐｓｉ未満〜約１ｐｓｉの引込力が、ユーザまで液体を引き込むために十分であり得る。いくつかの実施形態では、約３ｐｓｉ〜約７ｐｓｉの引込力が、ユーザまで液体を引き込むために十分であり得る。他の実施形態では、約４ｐｓｉ〜約６ｐｓｉの引込力が、ユーザまで液体を引き込むために十分であり得る。ある実施形態では、約３ｐｓｉの引込力が、ユーザまで液体を引き込むために十分であり得る。
【００６２】
飲料容器２００から、機能性モジュール３１３を通して、かつマウスピース１２１の先端開口部１２２を通して、ユーザまで液体を引き込むためにユーザによって生成される吸引に関する最適な流率は、約１００ｍＬ／分〜ｌＬ／分である。いくつかの実施形態では、機能性モジュール３１３は、ユーザまで液体を引き込むために、約１５０ｍＬ／分〜約９５０ｍＬ／分、約２００ｍＬ／分〜約９００ｍＬ／分、約２５０ｍＬ／分〜約８５０ｍＬ／分、約３００ｍＬ／分〜約８００ｍＬ／分、約３５０ｍＬ／分〜約７５０ｍＬ／分、約４００ｍＬ／分〜約７００ｍＬ／分、約４５０ｍＬ／分〜約６５０ｍＬ／分、または約５００ｍＬ／分〜約６００ｍＬ／分の流率を達成し得る。さらなる実施形態では、ユーザによって生成される吸引力は、約１〜３ｐｓｉであり、流率は、約２００ｍＬ／分〜約８００ｍＬ／分である。さらなる実施形態では、ユーザによって生成される吸引力は、約３ｐｓｉであり、流率は、約２００ｍＬ／分〜約８００ｍＬ／分である。
【００６３】
有利には、フィルタコンパートメント内での顆粒状フィルタ媒体および顆粒状殺菌フィルタ媒体の使用は、機能性モジュール３１３を通過する水がいくつかの性能規格を充足するまたは超過することを可能にする。例えば、機能性モジュール３１３は、流入汚染物濃度が、いくつかの汚染物質（限定ではないが、鉛、銅、水銀、砒素５＋、カドミウム、クロム、揮発性有機化学物質（ＶＯＣ）、および殺虫剤ならびに除草剤を含む）の規格に記載される濃度未満であるまたはそれに等しいときに、金属汚染物質除去のためのＮＳＦ／ＡＮＳＩ  ５３もしくはＥＰＡ作用濾過性能規格を充足するまたは超過することができる。加えて、機能性モジュール３１３は、流入汚染物濃度が、Ａ群、Ｂ群、およびＣ群の汚染物質に関する規格に記載される濃度未満であるまたはそれに等しいときに、ＮＳＦ４０１またはＥＰＡ作用濾過性能規格を充足するまたはそれを超過することができる。
【００６４】
実験が、行われ、その結果は、機能性モジュール３１３と、飲料容器蓋１００の封入されるフィルタ媒体との技術的利点を示す。例えば、ｐＨ８．５鉛低減に関するＮＳＦ／ＡＮＳＩ規格５３プロトコルが、１５０パーツパービリオン（ｐｐｂ）の鉛で汚染されたｐＨ８．５試験水を使用して行われた。ｐＨ８．５鉛試験水が、上記に説明されるように機能性モジュール３１３を通してユーザまで液体を引き込むために十分な引込力に対応するように約３ｐｓｉの圧力で、ＨａｌｏＰｕｒｅ  ＡＣ鉛フィルタ媒体が封入されている状態で、機能性モジュール３１３を通して圧送された。５〜１６０（または、例えば、１０〜８０）Ｌのそのような高度に鉛汚染された流入水を濾過した後に、ＨａｌｏＰｕｒｅ  ＡＣ鉛フィルタ媒体を伴う機能性モジュール３１３は、有利には、鉛汚染を１５０ｐｐｂから２〜７（例えば、３〜６）ｐｐｂに低減させ、水のｐＨをｐＨ８．５からｐＨ６．２〜ｐＨ６．８（または５．８〜６．１）に低減させる一方で、６８０ｍＬ／分〜７２０（または３４５〜５１０）ｍＬ／分の濾過流率を維持した。故に、使用時、機能性モジュール３１３は、上記に説明される最適な流率範囲内で安全である流率を持続させる一方で、金属汚染の並はずれた低減を達成する。いくつかの実施形態では、ストローアセンブリは、機能性モジュール３１３を含む。
【００６５】
図６〜図８は、飲料容器蓋１００がユーティリティリング１４０を備え得ることを図示する。ユーティリティリング１４０は、飲料容器蓋１００または飲料容器２００に回転可能に接続されてもよい。ユーティリティリング１４０は、静置位置（図６参照）から、ユーティリティリング１４０がキャップ１１１の一部の上に存在してキャップを閉鎖位置に係止または保持する係止位置まで回転し得る。随意に、キャップ１１１は、ユーティリティリング１４０がキャップ１１１を飲料容器蓋１００に留保することが必要とされないように、充填開口１１０に対してしっかりとシールしてもよい。故に、いくつかの実施形態では、ユーティリティリング１４０は、ユーザのための便宜的な輸送ハンドルとして役立つことができる。
【００６６】
上記の詳細な説明では、本明細書の一部を形成する付随の図面が、参照される。図面では、同様の記号が、典型的には、文脈が他の態様で示さない限り、同様の構成要素を識別する。したがって、いくつかの実施形態では、部品の番号が、複数の図内の同様の構成要素のために使用され得る、または、部品の番号が、図面毎に応じて変動し得る。詳細な説明、図面、および請求項において説明される例証的実施形態は、限定的である意図はない。本明細書に提示される主題の精神または範囲から逸脱することなく、他の実施形態も、利用され得、他の変更も、成され得る。本開示の側面は、概して本明細書に説明されて図に図示されるように、その全てが明示的に検討されて本開示の一部を成す多種多様な異なる構成に配列される、代用される、組み合わせられる、および設計されることができることが、容易に理解される。
【００６７】
前述の説明は、本明細書に開示されるシステム、デバイス、および方法のある実施形態を詳述する。しかしながら、前述のものが文字に現れる詳細度にかかわらず、本システム、デバイス、および方法は、多くの方法で実践され得ることを理解されたい。また、上記にも記載されるように、本発明のある特徴または側面を説明するときの特定の専門用語の使用は、その専門用語が、その専門用語が関連付けられる技術の特徴または側面の任意の具体的な特性を含むものとして制限されるように本明細書において再定義されることを含意するように捉えられるべきではないことに留意されたい。
【００６８】
種々の修正および変更が、説明される技術の範囲から逸脱することなく成され得ることが、当業者によって理解される。そのような修正および変更は、実施形態の範囲内にあることが意図される。一実施形態に含まれる部品が、一実施形態と置換可能であり、描写される実施形態からの１つまたは複数の部分が、他の描写される実施形態と任意の組み合わせにおいて含まれることができることもまた、当業者によって理解される。例えば、本明細書に説明されかつ／または図に描写される種々の構成要素のうちのいかなるものも、組み合わせられ得る、置換され得る、または、他の実施形態から除外され得る。
【００６９】
本明細書における実質的に任意の複数形および／または単数形用語の使用に関して、当業者は、文脈および／または用途に対して適切であるように、複数形から単数形におよび／または単数形から複数形に変換することができる。種々の単数形／複数形の入れ替えは、明確化を目的として、本明細書に明示的に記載され得る。
【００７０】
一般に、本明細書において使用される用語は、概して、「非限定」用語として意図される（例えば、用語「〜を含む（ｉｎｃｌｕｄｉｎｇ）」は、「限定ではないが、〜を含む（ｉｎｃｌｕｄｉｎｇ  ｂｕｔ  ｎｏｔ  ｌｉｍｉｔｅｄ  ｔｏ）」として解釈されるべきであり、用語「〜を有する（ｈａｖｉｎｇ）」は、「少なくとも〜を有する（ｈａｖｉｎｇ  ａｔ  ｌｅａｓｔ）」として解釈されるべきであり、用語「〜を含む（ｉｎｃｌｕｄｅｓ）」は、「限定ではないが、〜を含む（ｉｎｃｌｕｄｅｓ  ｂｕｔ  ｉｓ  ｎｏｔ  ｌｉｍｉｔｅｄ  ｔｏ）」として解釈されるべきである、等）であることが、当業者によって理解される。具体的な数の導入された請求項の列挙が意図される場合、そのような意図は、請求項内に明示的に列挙され、そのような列挙がない状態では、そのような意図は、存在しないことが、当業者によってさらに理解される。しかしながら、そのような語句の使用は、不定冠詞「ａ」または「ａｎ」による請求項の列挙の導入が、同一の請求項が導入句「１つまたは複数の」または「少なくとも１つの」、および「ａ」または「ａｎ」等の不定冠詞（例えば、「ａ」および／または「ａｎ」は、典型的には、「少なくとも１つの」または「１つまたは複数の」を意味するように解釈されるべきである）を含むときであっても、そのような導入された請求項の列挙を包含する任意の特定の請求項を、１つのそのような列挙のみを包含する実施形態に限定すると含意するものと解釈されるべきではなく、それは、請求項の列挙を導入するために使用される定冠詞の使用にも当てはまる。加えて、具体的な数の導入された請求項の列挙が、明示的に列挙される場合でも、当業者は、そのような列挙は、典型的には、少なくとも列挙された数を意味する（例えば、他の修飾語句を伴わない「２つの列挙」のそのままの列挙は、典型的には、少なくとも２つの列挙、または２つ以上の列挙を意味する）ように解釈されるべきであることを認識する。
【００７１】
「Ａ、Ｂ、およびＣ等のうちの少なくとも１つ」に同様の表記法が使用されるそれらの事例では、一般に、そのような構成は、当業者がその表記法を理解する意味で意図される（例えば、「Ａ、Ｂ、およびＣのうちの少なくとも１つを有するシステム」は、限定ではないが、Ａを単独で、Ｂを単独で、Ｃを単独で、ＡとＢとをともに、ＡとＣとをともに、ＢとＣとをともに、および／または、ＡとＢとＣとをともに有するシステムを含む、等）。「Ａ、Ｂ、またはＣ等のうちの少なくとも１つ」に同様の表記法が使用されるそれらの事例では、一般に、そのような構成は、当業者がその表記法を理解する意味で意図される（例えば、「Ａ、Ｂ、またはＣのうちの少なくとも１つを有するシステム」は、限定ではないが、Ａを単独で、Ｂを単独で、Ｃを単独で、ＡとＢとをともに、ＡとＣとをともに、ＢとＣとをともに、および／または、ＡとＢとＣとをともに有するシステムを含む、等）。
【００７２】
説明、請求項、または図面のいずれにあるかにかかわらず、２つ以上の代替用語を提示する実質的に任意の離接的な語および／または語句が、用語の１つ、用語のうちのいずれか、または、両方の用語を含む可能性を考慮するように理解されるべきであることが、当業者によってさらに理解される。例えば、語句「ＡまたはＢ」は、「Ａ」、または「Ｂ」、または「ＡおよびＢ」の可能性を含むように理解されたい。
【００７３】
本明細書に引用される全ての参考文献は、それらの全体が参照により本明細書に援用される。参照によって援用される公開文書および特許または特許出願が、本明細書に包含される開示と矛盾する範囲で、本明細書が、任意のそのような矛盾する資料に優先するかつ／またはその上位にあると意図される。
【００７４】
本明細書に使用される場合、用語「〜を備える（ｃｏｍｐｒｉｓｉｎｇ）」は、「〜を含む（ｉｎｃｌｕｄｉｎｇ）」、「〜を包含する（ｃｏｎｔａｉｎｉｎｇ）」、または「〜によって特徴付けられる（ｃｈａｒａｃｔｅｒｉｚｅｄ  ｂｙ）」と同義であり、包括的または非制約的であり、付加的な、列挙されていない要素または方法ステップを除外するものではない。
【００７５】
用語「汚染物質」は、汚染された流体からの化学的汚染物質および／または生物学的汚染物質を意味し得る。いくつかの実施形態では、生物学的汚染物質は、細菌、ウイルス、菌類、または藻類を含む。いくつかの実施形態では、化学的汚染物質は、限定ではないが、有機化合物、残留ハロゲン、セレン、ヒ酸塩、亜ヒ酸塩、フッ化物、ニクロム酸塩、マンガン、スズ、白金、鉄、コバルト、クロム酸塩、モリブデン酸塩、亜セレン酸塩、セレン酸塩、硝酸塩、リン酸、ホウ酸塩、ウラン、バナジウム、バナジン酸塩、ルテニウム、アンチモン、モリブデン、タングステン、バリウム、セリウム、ランタン、ジルコニウム、チタン、および／または、ラジウム、亜鉛、銅、鉛、水銀、カドミウム、ならびに、産業廃棄物を通して排出される天然有機物（ＮＯＭ（例えば、タンニン、フルボ酸、またはフミン酸））、殺虫剤および除草剤残留物、内分泌かく乱化学物質、医薬品残留物、ならびに有機化合物を含む。
【００７６】
用語「汚染された流体」は、化学的または生物学的汚染物質を含有する水または水性物を指す。
【００７７】
用語「水の精製」は、汚染された水から望ましくない化学物質、生物学的汚染物質、懸濁固体、およびガスを除去するプロセスを指す。このプロセスの目的は、人間の飲用、または医療用、薬理学的、化学的、および産業用途等の具体的な目的のために適合する水を生産することである。
【００７８】
用語「水の浄化」は、産業製造プロセスからの汚濁された水または排水から、あるいは汚濁された地方自治体用または農業用水源から汚濁物質を除去するプロセスを指す。
【００７９】
本明細書で使用される場合、単数形または複数形における「ビーズ」は、ビーズに似ているような球を含む任意のサイズまたは形状であり得るが、不規則に成形された粒子も含み得る。「ビーズ」は、粒子と同義的に使用される。
【００８０】
本明細書で使用される場合、「ハイブリッド粒子」は、Ｎ−ハラミンまたは前駆体Ｎ−ハラミンを伴うポリマー（例えば、ポリスチレンヒダントイン、またはメチル化ポリスチレン、またはハロゲン化ポリスチレンヒダントイン、または任意のメチル化ポリスチレン、またはメチル化ポリスチレンのハロゲン化形態、または他の環状アミン、およびＮ−ハラミンポリマーのうちの任意のもの）と、ナノ粒子とから成るナノ複合体粒子を指す。ハイブリッド粒子は、ポリマーハイブリッド粒子または組成物と称され得る。
【００８１】
本明細書で使用される場合、「ナノ粒子」は、１〜５００ナノメートル、好ましくは、１〜２００ナノメートル、より好ましくは、１〜１００ナノメートルの範囲内の粒子サイズを有する粒子（例えば、ナノ金属粒子、またはナノ金属酸化物粒子、あるいは他のもの）を指す。いくつかの実施形態では、ナノ粒子は、吸着材である。いくつかの実施形態では、ナノ粒子は、ポリマー（例えば、ハロゲン化または非ハロゲン化ポリスチレンヒダントイン粒子またはビーズ、あるいはメチル化ポリスチレン、あるいは他の環状アミン、およびＮ−ハラミンポリマーのうちの任意のもの）と連結される。
【００８２】
用語「重力送り式または重力流」濾過は、濾過媒体を通した流体の流動を指し、重力が、流体上に作用し、濾過媒体を通して流体を押進させる実質的に唯一の輸送力である。
【００８３】
用語「低圧流」濾過は、濾過媒体を通した流体の流動を指し、３０ｐｓｉまたはそれ未満内の流体の圧力が、濾過媒体を通して流体を移動させるための輸送力である。
【００８４】
上記の説明は、本発明のいくつかの方法および材料を開示する。本発明は、方法および材料の修正、ならびに加工方法および機器の改変を受け入れる余地がある。そのような修正は、本開示の考察または本明細書に開示される本発明の実践から当業者に明白となる。その結果、本明細書に開示される具体的な実施形態に本発明が限定されるように意図されるものではなく、それは、添付の請求項において具現化されるような本発明の真の範囲および精神の範囲内にある修正ならびに代替物全てを網羅することが意図される。
【図１】
2021512024.tif 000003
【図２】
2021512024.tif 000004
【図３】
2021512024.tif 000005
【図４】
2021512024.tif 000006
【図５Ａ】
2021512024.tif 000007
【図５Ｂ】
2021512024.tif 000008
【図５Ｃ】
2021512024.tif 000009
【図６】
2021512024.tif 000010
【図７−８】
2021512024.tif 000011
【国際調査報告】
2021512024.tif 000012
2021512024.tif 000013
2021512024.tif 000014